(57)【要約】【課題】アルミ部材の室内側部分と樹脂部材との間に空気層を有するサッシ枠材において、標準ビスを用いて建物躯体に取付けできると共に、そのビスの頭部に結露が発生し難くする。【解決手段】アルミ部材１５の室内側部分１５ａと樹脂部材１６の間の空気層１９に、熱が伝わり難い材質のスペーサ４０を設け、樹脂部材１６の取付用孔４２からビス１７をスペーサ４０のビス挿通孔４３、アルミ部材１５の透孔４１を挿通して建物躯体に固着し、そのビス１７の頭部１７ａをスペーサ４０の他端面４０ｂに押しつけて一端面４０ａをアルミ部材１５の室内側部分１５ａに押しつけ、かつ前記ビス１７の頭部１７ａを樹脂部材１６に押しつけることで前述のビス１７で建物躯体に取付けるようにしたサッシ枠材。【選択図】図３
2005126938.tif 000002
【特許請求の範囲】
【請求項１】
室外側のアルミ部材と、このアルミ部材の室内側部分に設けられて空気層を形成する室内側の樹脂部材と、この空気層に設けた熱が伝わり難い材質のスペーサと、前記樹脂部材の取付用孔からスペーサのビス挿通孔、アルミ部材の室内側部分の透孔を挿通して建物躯体側に固着されるビスを備え、
前記ビスの頭部がスペーサの他端面と樹脂部材に押しつけられ、そのスペーサの一端面がアルミ部材の室内側部分に押しつけられたサッシ枠材を用いて断熱サッシ枠としたことを特徴とするサッシ。
【請求項２】
スペーサの他端部が樹脂部材の取付用孔に嵌合し、このスペーサを樹脂部材で支持するようにした請求項１記載のサッシ。
【請求項３】
スペーサの一端部がアルミ部材の透孔に係合し、このスペーサをアルミ部材の室内側部分で支持するようにした請求項１記載のサッシ。
【請求項４】
室外側のアルミ部材と、このアルミ部材の室内側部分に設けられて空気層を形成する室内側の樹脂部材と、この空気層に設けた熱が伝わり難い材質のスペーサと、前記樹脂部材の取付用孔からスペーサのビス挿通孔、アルミ部材の室内側部分の透孔を挿通して建物躯体側に固着されるビスを備え、
このビスの頭部は円錐台状で、
前記取付用孔はビス頭部押付孔部とスペーサ嵌合孔部を有し、
このビス頭部押付孔部と前記スペーサの他端面は円錐台状で、前記ビスの頭部がそれぞれ押しつけられ、
前記スペーサの一端面がアルミ部材の室内側部分に押しつけられると共に、スペーサの他端部がスペーサ嵌合孔部に嵌合しているサッシ枠材を用いて断熱サッシ枠としたことを特徴とするサッシ。
【発明の詳細な説明】
【技術分野】
【０００１】
本発明は、断熱サッシ枠を有する断熱性に優れたサッシ、詳しくは、室外側のアルミ部材と室内側の樹脂部材を備えたサッシ枠材を用いた断熱サッシ枠を有するサッシに関する。
【背景技術】
【０００２】
特許文献１に断熱サッシ枠に断熱障子を装着した断熱性に優れたサッシが開示されている。
この断熱サッシ枠を形成するサッシ枠材は、室外側のアルミ部材と室内側の樹脂部材を連結したものである。
このようなサッシ枠材は、その室内側部分が樹脂部材であるから、室内側部分に結露が発生することがない。
【０００３】
【特許文献１】特開平９−３０３０５３号公報
【発明の開示】
【発明が解決しようとする課題】
【０００４】
前述したサッシ枠材は、アルミ部材の室内側部分に樹脂部材を重ね、その樹脂部材からビスをアルミ部材の孔を通して建物躯体に螺合して締付けることで、アルミ部材の室内側部分と樹脂部材をビスによって建物躯体に取付けるのが一般的である。
しかし、このようにするとアルミ部材の室内側部分と樹脂部材が接触し、両部材に熱が伝わり易いので、満足した断熱性能を得られないことがある。
このことを解消するために、アルミ部材の室内側部分と樹脂部材との間に空気層を設けて断熱性能を向上したサッシ枠材が提案されている。
【０００５】
このサッシ枠材はアルミ部材の室内側部分と樹脂部材が離隔しているので、段付ビスを用いてアルミ部材の室内側部分と樹脂部材を建物躯体に取付けている。
例えば、図７に示すように段付ビス１を、樹脂部材２の孔３、アルミ部材４の室内側部分４ａの孔５を通して図示しない建物躯体に螺合し、その段付ビス１の段部１ａをアルミ部材４の室内側部分４ａにおける孔５の周縁に押しつけると共に、その段付きビス１の頭部１ｂを樹脂部材２に押しつけることでアルミ部材４の室内側部分４ａと樹脂部材２を取付けている。図において空気層６はアルミ部材４の室内側部分４ａと樹脂部材２との間に設けてある。
【０００６】
前述のように段付ビス１で取付けると、段付ビス１の段部１ａがアルミ部材４の室内側部分４ａに接してアルミ部材４と段付ビス１が直接触れるから、その段付ビス１の頭部１ｂに結露が発生し易い。
また、標準ビスに比べて高価な段付ビスを用いるので、コストが高い。
また、段付ビスは標準ビスに比べて孔３、孔５に挿通しづらいから、ビス締め作業がやりづらく施工性が低下する。
【０００７】
本発明は、前述の課題に鑑みなされたものであって、その目的は、アルミ部材の室内側部分と樹脂部材の間に空気層を有し断熱性能を向上できること、そのアルミ部材の室内側部分と樹脂部材を標準ビスで建物躯体側に取付けでき、コストが安いこと、ビス締め作業がやり易く施工性が向上すること、前述のビスの頭部に結露が発生し難いことを満足したサッシ枠材を用いて断熱サッシ枠としたサッシを提供することである。
【課題を解決するための手段】
【０００８】
第１の発明は、室外側のアルミ部材と、このアルミ部材の室内側部分に設けられて空気層を形成する室内側の樹脂部材と、この空気層に設けた熱が伝わり難い材質のスペーサと、前記樹脂部材の取付用孔からスペーサのビス挿通孔、アルミ部材の室内側部分の透孔を挿通して建物躯体側に固着されるビスを備え、
前記ビスの頭部がスペーサの他端面と樹脂部材に押しつけられ、そのスペーサの一端面がアルミ部材の室内側部分に押しつけられたサッシ枠材を用いて断熱サッシ枠としたことを特徴とするサッシである。
【０００９】
第２の発明は、第１の発明においてスペーサの他端部が樹脂部材の取付用孔に嵌合し、このスペーサを樹脂部材で支持するようにしたサッシである。
【００１０】
第３の発明は、第１の発明においてスペーサの一端部がアルミ部材の透孔に係合し、このスペーサをアルミ部材の室内側部分で支持するようにしたサッシである。
【００１１】
第４の発明は、室外側のアルミ部材と、このアルミ部材の室内側部分に設けられて空気層を形成する室内側の樹脂部材と、この空気層に設けた熱が伝わり難い材質のスペーサと、前記樹脂部材の取付用孔からスペーサのビス挿通孔、アルミ部材の室内側部分の透孔を挿通して建物躯体側に固着されるビスを備え、
このビスの頭部は円錐台状で、
前記取付用孔はビス頭部押付孔部とスペーサ嵌合孔部を有し、
このビス頭部押付孔部と前記スペーサの他端面は円錐台状で、前記ビスの頭部がそれぞれ押しつけられ、
前記スペーサの一端面がアルミ部材の室内側部分に押しつけられると共に、スペーサの他端部がスペーサ嵌合孔部に嵌合しているサッシ枠材を用いて断熱サッシ枠としたことを特徴とするサッシである。
【発明の効果】
【００１２】
本発明によれば、空気層を有するので断熱性能が向上したサッシ枠材である。
また、ビスの締付け力はスペーサを介してアルミ部材の室内側部分で支持され、そのビスの頭部が樹脂部材に押しつけられるので、標準ビスを用いてアルミ部材の室内側部分と樹脂部材を建物躯体側に取付けでき、コストが安いし、ビス締め作業がやり易く施工性が向上する。
また、前述のビスはアルミ部材に直接触れないので、そのビスの頭部に結露が発生し難い。
【発明を実施するための最良の形態】
【００１３】
図１と図２に示すように、断熱サッシ枠１０に内障子２０と外障子３０を引き違いに装着して断熱性に優れたサッシを形成している。
前記断熱サッシ枠１０は、上枠１１と下枠１２と左縦枠１３と右縦枠１４を方形状に連結したもので、その上枠１１、下枠１２、左・右縦枠１３，１４は室外側のアルミ部材１５と室内側の樹脂部材１６を備えている。この実施の形態では下枠１２のアルミ部材１５が２つのアルミ部材を断熱材で連結した断熱形材としてあるが、他の枠と同様に１つのアルミ部材のみとしても良い。
前記上枠１１、下枠１２、右縦枠１４のアルミ部材１５の室内側部分１５ａに樹脂部材１６が重ね合わせてあり、上枠１１は、その樹脂部材１６からビス１７を建物躯体１８に螺合して固着し、下枠１２と右縦枠１４は、その重ね合わせ部分からビス１７を建物躯体１８に螺合して固着してある。
【００１４】
前記左縦枠１３のアルミ部材１５の室内側部分１５ａに樹脂部材１６が設けられ、両者の間に空気層１９を有する。
例えば、樹脂部材１６を、室外側取付片１６ａと内向片１６ｂと中間片１６ｃと室内側取付片１６ｄでほぼ鉤形状で、かつ中間片１６ｃに係止外向片１６ｅを有する断面形状とする。
前記室外側取付片１６ａをアルミ部材１５の室内外側方向中間にビスで固着し、係止外向片１６ｅをアルミ部材１５の室内側端部に係合して取付け、内向片１６ｂと中間片１６ｃと係止外向片１６ｅとアルミ部材１５の室内側部分１５ａで空気層１９を形成する。
前記空気層１９に設けたスペーサ４０を挿通したビス１７を建物躯体１８に螺合して固着してアルミ部材１５の室内側部分１５ａと樹脂部材１６を建物躯体１８に取付けてある。この左縦枠１３が本発明のサッシ枠材である。
【００１５】
前記各アルミ部材１５は躯体取付片１５ｂを備え、この躯体取付片１５ｂを建物躯体１８に当接し、ビス１５ｃで固着してある。
【００１６】
なお、上枠１１、下枠１２、右縦枠１４のいずれかを、左縦枠１３と同様に空気層を有し、スペーサ４０とビス１７で建物躯体１８に固着するようにしても良いし、複数又は全ての枠材を左縦枠１３と同様にしても良い。
つまり、本発明のサッシ枠材は断熱サッシ枠１０を形成する枠材である。
【００１７】
前記内障子２０を構成する上框２１、下框２２、戸当り框２３、召合せ框２４は、室外側のアルミ部材２５と室内側の樹脂部材２６を備えた断熱框で、内障子２０は断熱障子である。
前記外障子３０を構成する上框３１、下框３２、戸当り框３３は、室外側のアルミ部材３５と室内側の樹脂部材３６を備えた断熱框で、召合せ框３４はアルミ部材３５のみであるが、この召合せ框３４は内・外障子３０，４０を閉じた状態において、内障子２０の召合せ框２４と重なり合うので、外障子３０も断熱障子である。
【００１８】
次に、前記左縦枠１３のアルミ部材１５の室内側部分１５ａと樹脂部材１６を建物躯体に取付ける部分の詳細を説明する。
図３と図４に示すように、前記アルミ部材１５の室内側部分１５ａには透孔４１が形成され、樹脂部材１６（中間片１６ｃ）に取付用孔４２が形成してある。
この取付用孔４２はビス頭部押付孔部４２ａとスペーサ嵌合孔部４２ｂを有し、そのビス頭部押付孔部４２ａが面内方向内側（アルミ部材１５の室内側部分１５ａと反対側）に開口し、スペーサ嵌合孔部４２ｂは面内方向外側（アルミ部材１５の室内側部分１５ａ側）に開口している。
この実施の形態では、ビス頭部押付孔部４２ａが円錐台状で、前記ビス１７の円錐台状の頭部１７ａが接するようにしてある。
【００１９】
前記スペーサ４０は熱が伝わり難い材質、例えば樹脂で、前記ビス１７が挿通するビス挿通孔４３を一端面４０ａと他端面４０ｂに貫通して有する。
このスペーサ４０の一端面４０ａが前記アルミ部材１５の室内側部分１５ａにおける透孔４１の周囲部分に接し、他端部が前記取付用孔４２のスペーサ嵌合孔部４２ｂに嵌合する。なお、スペーサ４０の他端部は先細テーパー形状で、嵌合し易くしてある。
前記スペーサ４０の他端面４０ｂ（ビス挿通孔４３の周縁部分）にビス１７の頭部１７ａが接するようにしてある。つまり、ビス１７の頭部１７ａは樹脂部材１６の取付用孔４２のビス頭部押付孔部４２ａとスペーサ４０の他端面４０ｂに接するようにしてある。
例えば、前記スペーサ４０の他端面４０ｂは、取付用孔４２の円錐台状のビス頭部押付孔部４２ａと連続する円錐台状である。つまり、取付用孔４２のビス頭部押付孔部４２ａとスペーサ４０の他端面４０ｂは同一角度の円錐台状で、ビス１７の円錐台状の頭部１７ａがビス頭部押付孔部４２ａと他端面４０ｂに接するようにしてある。
【００２０】
このようであるから、ビス１７でアルミ部材１５の室内側部分１５ａと樹脂部材１６を取付けできるし、そのビス１７の締付け力をスペーサ４０で支持するから樹脂部材１６に無理な力が作用して変形等することがない。
また、ビス１７とアルミ部材１５の室内側部分１５ａが直接触れることがなく、そのビス１７の頭部１７ａに結露が発生し難い。
また、ビス１７は標準ビスである。
また、ビス１７の頭部１７ａ、取付用孔４２のビス頭部押付孔部４２ａ、スペーサ４０の他端面４０ｂがそれぞれ円錐台状であるから、ビス１７の頭部１７ａを樹脂部材１６から突出せずにほぼ面一、好ましくは面一とすることができる。
また、スペーサ４０の他端部を取付用孔４２のスペーサ嵌合孔部４２ｂに嵌合して樹脂部材１６に取付け、その状態でアルミ部材１５と樹脂部材１６を連結できるから、その連結が容易にできる。
【００２１】
前記スペーサ４０はアルミ部材１５の室内側部分１５ａに取付けるようにしても良い。
例えば、図５に示すように、スペーサ４０を筒体４４の一端面４４ａに４つの係止片４５を備え、その筒体４４の他端面４４ｂ（ビス挿通孔４３の周辺部分）を円錐台状とする。
前記各係止片４５は上面又は下面が平坦面で、かつ係止部４５ａを有し、かつ外周面４５ｂは円弧状で、４つの係止片４５によって上面と下面が略直線状で、左右面が略円弧状で、中央部にビス１７が挿通可能な係止突部を形成している。
前記アルミ部材１５の室内側部分１５ａの透孔４１は上下が直線状で、左右が円弧状の形状で、この透孔４１に前記４つの係止片４５が挿通し、かつ係止部４５ａが係止して抜け止めするようにする。
【００２２】
前記スペーサ４０は図６に示すように４つの係止片４５を透孔４１に挿通して係止部４５ａを透孔４１の開口縁に係止して抜け落ちないように支持して取付けられる。
この場合も図３に示す実施の形態と同様に、ビス１７の頭部１７ａが取付用孔４２のビス頭部押付孔部４２ａと筒体４４の他端面４４ｂ（スペーサ４０の他端面４０ｂ）に接する。
そして、筒体４４の一端面４４ａ（スペーサ４０の一端面４０ａ）の上下部分がアルミ部材１５の室内側部材１５ａにおける透孔４１の周縁における上下寄り部に接してビス１７の締付け力を支持する。
【００２３】
この実施の形態の場合には筒体４４の他端部、つまりスペーサ４０の他端部を取付用孔４２に挿入しても良いし、挿入しなくとも良い。
なお、挿入しない場合には取付用孔４２の全部をビス頭部押付孔部４２ａとすることができる。
【００２４】
前述の各実施の形態では、ビス１７の頭部１７ａ、取付用孔４２のビス頭部押付孔部４２ａ、スペーサ４０の他端面４０ｂを円錐台状としたが、これに限ることはない。
例えば、ビス１７の頭部１７ａを外側段部と、この外側段部よりも小径の内側段部を有する段付き形状とし、その外側の段部をビス頭部押付孔部４２ａに押しつけ、内側の段部をスペーサ４０の他端面４０ｂに押しつけるようにしても良い。
また、前述の外側段部を樹脂部材１５の取付用孔４２の周縁部分に押しつけるようにしても良い。この場合は取付用孔４２はビス１７が挿通する形状であれば良い。
すなわち、本発明は、ビス１７の頭部１７ａをスペーサ４０の他端面４０ｂに押しつけてスペーサ４０の一端面４０ａをアルミ部材１５の室内側部分に１５ａにおける透孔４１の周縁部分に押しつけ、前記ビス１７の頭部１７ａを樹脂部材１６に押しつければ良い。
【図面の簡単な説明】
【００２５】
【図１】断熱サッシの縦断面図である。
【図２】断熱サッシの横断面図である。
【図３】図２のＡ部拡大断面図である。
【図４】スペーサと樹脂部材とビスを離隔した状態の断面図である。
【図５】スペーサの第２の実施の形態を示す斜視図である。
【図６】アルミ部材と樹脂部材の取付け状態の断面図である。
【図７】従来のアルミ部材と樹脂部材の取付け状態の断面図である。
【符号の説明】
【００２６】
１５…アルミ部材、１５ａ…室内側部分、１６…樹脂部材、１７…ビス、１７ａ…頭部、１９…空気層、４０…スペーサ、４０ａ…一端面、４０ｂ…他端面、４１…透孔、４２…取付用孔、４２ａ…ビス頭部押付孔部、４２ｂ…スペーサ嵌合孔部、４３…ビス挿通孔。
【図１】
2005126938.tif 000003
【図２】
2005126938.tif 000004
【図３】
2005126938.tif 000005
【図４】
2005126938.tif 000006
【図５】
2005126938.tif 000007
【図６】
2005126938.tif 000008
【図７】
2005126938.tif 000009